(57)【要約】【課題】光出力制御のための受光センサへのレーザビームの受光の調整を極めて容易に行い、組立工数の削減、装置の小型・軽量化及びコストダウンを図る。【解決手段】受光センサを固定した受光センサ固定基板２３を基板面内で揺動させる一方、光源２８から光走査手段に向けて出射される光ビームの一部を取り出した光を受光センサ側に導く集光レンズ２６を、走査手段の走査平面に平行且つ受光センサへ導かれる光ビームの光軸に直交する方向へ移動させて、前り出した光ビームを受光センサの受光位置に合わせるようにした。【選択図】　図２
2004125813.tif 000002
【特許請求の範囲】
【請求項１】
光源から出射される光ビームの一部を受光センサで受けて光強度の検出を行うと共に、検出された光強度に応じて光源の目標光量を調整して光出力を制御する光出力制御回路を備え、該光出力制御回路により光量制御されて出射される光ビームを光走査手段により走査駆動する光走査装置であって、
前記受光センサが固定され該受光センサを基板面内で揺動自在に支持した受光センサ固定基板と、
前記光ビームの一部を前記受光センサ側に導くと共に、前記走査手段の走査平面に平行且つ受光センサへ導かれる光ビームの光軸に直交する方向へ移動自在に配置した集光レンズとを備えたことを特徴とする光走査装置。
【請求項２】
前記受光センサ固定基板が、前記受光センサを固定すると共に、前記受光センサの固定位置から所定長さ離間した支点位置を中心として面内方向に揺動自在に支持され、前記受光センサを前記光走査手段の走査平面に直交する第１の方向へ移動自在とし、
前記集光レンズが、前記走査平面に平行で且つ集光レンズの光軸に直交する第２の方向へ移動自在に配設した集光レンズユニットに搭載されていることを特徴とする請求項１記載の光走査装置。
【請求項３】
前記光出力制御回路が前記受光センサ固定基板に形成されていることを特徴とする請求項１又は請求項２記載の光走査装置。
【請求項４】
光源から出射される光ビームの一部を受光センサで受けて光強度の検出を行うと共に、検出された光強度に応じて光源の目標光量を調整して光出力を制御する光出力制御回路を備え、該光出力制御回路により光量制御されて出射される光ビームを光走査手段により走査駆動する光走査装置の受光センサ位置調整方法であって、
前記受光センサを固定した受光センサ固定基板を基板面内で揺動させる一方、前記光源から前記光走査手段に向けて出射される光ビームの一部を取り出した光に対し、この取り出した光を前記受光センサ側に導く集光レンズを、前記走査手段の走査平面に平行且つ受光センサへ導かれる光ビームの光軸に直交する方向へ移動させて、前記取り出した光ビームを前記受光センサの受光位置に合わせることを特徴とする光走査装置の受光センサ位置調整方法。
【請求項５】
前記受光センサが固定された受光センサ固定基板を、該受光センサの固定位置から所定長さ離間した支点位置を中心として面内方向に揺動することで前記受光センサを前記走査手段の走査平面に直交する第１の方向へ移動させ、
前記光源から前記光走査手段に向けて出射される光ビームの一部を取り出した光を集光して前記受光センサへ導く集光レンズが搭載された集光レンズユニットを、前記走査平面に平行で且つ集光レンズの光軸に直交する第２の方向へ移動させることで、
前記集光レンズから出射される光を前記第１の方向と前記第２の方向とで個別に前記受光センサに位置合わせすることを特徴とする請求項４記載の光走査装置の受光センサ位置調整方法。
【請求項６】
請求項１〜請求項３のいずれか１項記載の光走査装置を光源装置として搭載し、入力される画像信号に基づいて前記光源装置からの出力光を変調しつつ、光源装置に対して相対移動される記録媒体に照射することを特徴とする画像記録装置。
【発明の詳細な説明】
【０００１】
【発明の属する技術分野】
本発明は、複写機やレーザプリンタ等の画像記録装置に搭載される光走査装置及び光走査装置の受光センサ位置調整方法並びに画像記録装置に関するものである。
【０００２】
【従来の技術】
従来より、複写機やレーザプリンタ等の画像記録装置には、光源から出射された光ビームを回転多面鏡（ポリゴンミラー）等の偏向器で偏向反射させ、記録媒体の記録面上に走査させて画像記録を行う光走査装置が搭載されている。
この種の光走査装置としては、半導体レーザ（以下、ＬＤと称する）を光源とするものが知られている。
【０００３】
ところで、光走査装置では、均一な画像パターンを形成するために、光強度を一定に保持することが必要であるが、ＬＤは、温度依存性が大きいため、温度変化に伴い光出力が不安定になってしまう。このため、ＬＤを用いた光走査装置では、ＬＤの発光出力を制御する光出力制御回路であるＡＰＣ（Ａｕｔｏ　Ｐｏｗｅｒ　Ｃｏｎｔｒｏｌ）回路が採用されている。
【０００４】
このＡＰＣ回路は、ＬＤで発光した光の一部をフォトダイオード等の受光センサ（以下、ＰＤと称する）で受光し、受光して得られた出力電圧を基準電圧と比較し、ＰＤの出力電圧が基準電圧と一定の関係になるようにＬＤへの電流値を調整するフィードバック制御を行うもので、ＬＤの光強度が一定に制御されるようになっている。
【０００５】
【発明が解決しようとする課題】
このように、ＡＰＣ回路による制御が行われる光走査装置では、ＬＤ１の光強度を一定に保持して均一な画像パターンを形成することができる。
ところで、ＡＰＣ回路はＰＤ５からの出力電圧に基づいて高精度にフィードバック制御を行う必要があるので、回路上様々な工夫が行われて複雑化が免れずコストアップを招いており、回路上の工夫を最小限に抑えることが提案されている。
【０００６】
そのためには、ビームスプリッタ３により反射されたＬＤ１からのレーザビームを集光レンズ４を介してＰＤ５へ高精度に照射させてＰＤ５の応答性を向上させることが不可欠となる。しかし、ＰＤ５の受光面積は小さく、しかもＰＤ５は２次元的にフリーな状態として位置調整可能とされているので、組み立て時における位置決め作業は試行錯誤によるものとなり、極めて煩雑かつ困難であり、組立工数の削減ができなかった。しかも、ＰＤ５の位置調整をするための各種の治具が必要となり、また、これら治具の装着スペースや位置決めを行うための作業スペースが必要となり、装置の小型・軽量化及びコストダウンを図ることが困難であった。
【０００７】
この発明は、上記事情に鑑みてなされたもので、光出力制御のための受光センサへのレーザビームの受光の調整を極めて容易に行い、組立工数の大幅な削減、装置の小型・軽量化及びコストダウンを図ることができる光走査装置及び光走査装置の受光センサ位置調整方法並びに画像記録装置を提供することを目的としている。
【０００８】
【課題を解決するための手段】
上記目的を達成するために、請求項１記載の光走査装置は、光源から出射される光ビームの一部を受光センサで受けて光強度の検出を行うと共に、検出された光強度に応じて光源の目標光量を調整して光出力を制御する光出力制御回路を備え、該光出力制御回路により光量制御されて出射される光ビームを光走査手段により走査駆動する光走査装置であって、前記受光センサが固定され該受光センサを基板面内で揺動自在に支持した受光センサ固定基板と、前記光ビームの一部を前記受光センサ側に導くと共に、前記走査手段の走査平面に平行且つ受光センサへ導かれる光ビームの光軸に直交する方向へ移動自在に配置した集光レンズとを備えたことを特徴とする。
【０００９】
この光走査装置では、受光センサを固定した受光センサ固定基板を基板面内で揺動させる一方、光源から前記光走査手段に向けて出射される光ビームの一部を取り出した光を受光センサ側に導く集光レンズを、走査手段の走査平面に平行且つ受光センサへ導かれる光ビームの光軸に直交する方向へ移動させることにより、取り出した光ビームと受光センサの受光位置とのずれを２方向成分に分解して合わせることができ、受光センサの位置合わせを簡単にできる。そして、従来のように２次元的にフリーな状態の受光センサの位置合わせと比較して、位置決め作業が大幅に簡略化され、組立工数を削減することができ、さらには、位置調整をするための部品点数を抑えることができるとともに、位置決め作業のためのスペースも最小限に抑えられ、装置のコストダウン及び小型・軽量化を図ることができる。
【００１０】
請求項２記載の光走査装置は、前記受光センサ固定基板が、前記受光センサを固定すると共に、前記受光センサの固定位置から所定長さ離間した支点位置を中心として面内方向に揺動自在に支持され、前記受光センサを前記光走査手段の走査平面に直交する第１の方向へ移動自在とし、前記集光レンズが、前記走査平面に平行で且つ集光レンズの光軸に直交する第２の方向へ移動自在に配設した集光レンズユニットに搭載されていることを特徴とする。
【００１１】
この光走査装置では、受光センサが固定された受光センサ固定基板を、支点を中心として面内方向に揺動させることにより、走査平面に直交する第１の方向に受光センサの位置合わせを行うことができ、また、集光レンズユニットを移動させることにより、走査平面に平行且つ集光レンズの光軸に直交する第２の方向に受光センサの位置合わせを行うことができる。
【００１２】
請求項３記載の光走査装置は、請求項１記載の光走査装置において、前記光出力制御回路が前記受光センサ固定基板に形成されていることを特徴としている。
【００１３】
この光走査装置では、受光センサが固定された受光センサ固定基板に光出力制御回路を形成したので、さらなる部品点数の削減を図ることができ、さらに、小型・軽量化を図ることができる。
【００１４】
請求項４記載の光走査装置の光走査装置の受光センサ位置調整方法は、光源から出射される光ビームの一部を受光センサで受けて光強度の検出を行うと共に、検出された光強度に応じて光源の目標光量を調整して光出力を制御する光出力制御回路を備え、該光出力制御回路により光量制御されて出射される光ビームを光走査手段により走査駆動する光走査装置の受光センサ位置調整方法であって、前記受光センサを固定した受光センサ固定基板を基板面内で揺動させる一方、前記光源から前記光走査手段に向けて出射される光ビームの一部を取り出した光を前記受光センサ側に導く集光レンズを、前記走査手段の走査平面に平行且つ受光センサへ導かれる光ビームの光軸に直交する方向へ移動させて、前記取り出した光ビームを前記受光センサの受光位置に合わせることを特徴とする。
【００１５】
この光走査装置の受光センサ位置調整方法では、受光センサを固定した受光センサ固定基板を基板面内で揺動させる一方、光源から前記光走査手段に向けて出射される光ビームの一部を取り出した光を受光センサ側に導く集光レンズを、走査手段の走査平面に平行且つ受光センサへ導かれる光ビームの光軸に直交する方向へ移動させることにより、取り出した光ビームと受光センサの受光位置とのずれを２方向成分に分解して合わせることができ、受光センサの位置合わせを簡単にできる。
【００１６】
請求項５記載の光走査装置の受光センサ位置調整方法は、前記受光センサが固定された受光センサ固定基板を、該受光センサの固定位置から所定長さ離間した支点位置を中心として面内方向に揺動することで前記受光センサを前記走査手段の走査平面に直交する第１の方向へ移動させ、前記光源から前記光走査手段に向けて出射される光ビームの一部を取り出した光に対し、この取り出した光を集光して前記受光センサへ導く集光レンズが搭載された集光レンズユニットを、前記走査平面に平行で且つ集光レンズの光軸に直交する第２の方向へ移動させることで、前記集光レンズから出射される光を前記第１の方向と前記第２の方向とで個別に前記受光センサに位置合わせすることを特徴とする。
【００１７】
この光走査装置の受光センサ位置調整方法では、受光センサの位置決めを走査平面に直交する第１の方向と、走査平面に平行且つ集光レンズの光軸に直交する第２の方向とで別個に位置合わせすることにより、従来のように２次元的にフリーな状態の受光センサの位置合わせと比較して、位置決め作業の大幅な簡略化を図ることができる。
【００１８】
請求項６記載の画像記録装置は、請求項１〜請求項３のいずれか１項記載の光走査装置を光源装置として搭載し、入力される画像信号に基づいて前記光源装置からの出力光を変調しつつ、光源装置に対して相対移動される記録媒体に照射することを特徴としている。
【００１９】
この画像記録装置では、位置決め作業の大幅な簡略化が図られ、組立工数の削減、位置調整をするための部品点数、位置決め作業のためのスペースの削減が行え、コストダウン及び小型・軽量化された光走査装置を備えているので、画像記録装置全体の小型・軽量化及び装置全体のコストダウンを図ることができる。
【００２０】
【発明の実施の形態】
以下、本発明の光走査装置及び光走査装置の受光センサ位置調整方法並びに画像記録装置の好適な実施の形態について図面を参照して詳細に説明する。
図１は本発明に係る光走査装置の内部の構造を示す斜視図、図２は光源部の取付構造を示す拡大斜視図、図３は光源部におけるＬＤ周囲の部材を透視して表示したＬＤとコリメータレンズとの関係を示す拡大斜視図である。
【００２１】
図１〜図３に示すように、光走査装置１００は、記録媒体に画像を記録する複写機やレーザプリンタ、熱現像記録装置等の画像記録装置の光源装置として搭載されるものである。この光走査装置１００は、合成樹脂によって一体成形された光学箱であるハウジング２１を有している。
【００２２】
＜光学系全体の構造＞
次に、ハウジング２１内に収納された光学系全体の構造について説明する。
光源部２２はＬＤ２３及びコリメータレンズ２４を有する（図３参照）。コリメータレンズ２４はＬＤ２３が発光したレーザビーム（光ビーム）を平行ビームに変換する。光源部２２からの平行ビームとされたレーザビームは、ビームスプリッタ２５に照射され、その一部が反射され、残りが透過するようになっている
【００２３】
ビームスプリッタ２５で反射して取り出された一部のレーザビームは、集光レンズ２６によって集光され、受光センサ固定基板２７上に実装されたＰＤ２８へ照射される。そして、このＰＤ２８が受光して出力される出力電圧は、ＡＰＣ回路によって基準電圧と比較され、ＰＤ２８の出力電圧が基準電圧と一定の関係となるようにＬＤ２３への電流値が調整される。これにより、ＬＤ２３からのレーザビームの光強度は、常時一定になるように制御されている。
【００２４】
一方、ビームスプリッタ２５を通過したレーザビームは、シリンドリカルレンズ３１を通過してビーム形状を整形し、プリズム３２を通過して、高速回転駆動されるポリゴンミラー３３に照射されて主走査方向に連続的に走査される。ポリゴンミラー３３によって偏向されたレーザビームは、ｆθレンズ３４、３５及びシリンドリカルレンズ３６を透過し（図１参照）、シリンドリカルミラー３７で下方に反射され、その後、図示しない記録媒体上で結像して走査されるようになっている。
【００２５】
また、ポリゴンミラー３３からｆθレンズ３４、３５及びシリンドリカルレンズ３６を透過したレーザビームは、走査方向の一端側に設置されたシリンドリカルレンズ３８を通過して平行板ミラー３９に照射され、走査方向の他端側に設けられた基板４１上の後述する光センサ４２（図２８参照）に照射されるようになっている。つまり、ポリゴンミラー３３の回転時にこの光センサ４２でレーザビームを受光した時点を主走査の画像形成開始のトリガとして、タイミング信号を形成している。
【００２６】
次に、上記の光学系からなる光走査手段を構成する各部品に対して、ハウジング２１内における設置構造について説明する。なお、本発明は、受光センサ固定基板２７と集光レンズ２６の固定方式に特徴を有している。
【００２７】
＜ＬＤ及び受光センサ固定基板の支持構造＞
図２に示すように、ＬＤ用基台５１は、ハウジング２１の底面に固定する固定部５１ａと、この固定部５１ａから垂直に立設する取付部５１ｂとを有し、固定部５１ａをハウジング２１へねじ止めすることにより固定している。また、このＬＤ用基台５１には、その中央部分にコリメータレンズ取付ブロック部５２を形成している。このコリメータレンズ取付ブロック部５２には、その上方に光軸と平行となる装着孔５３が形成されており、この装着孔５３に、コリメータレンズ２４が圧入された円筒状の鏡筒５４を挿入している。
【００２８】
図３に示すように、鏡筒５４は、外周面の一部に全周にわたって環状の溝部５５を形成している。また、コリメータレンズ取付ブロック部５２には、その上部に、装着孔５３と内部で連通する調整孔５６を形成してある。この調整孔５６には、先端部の偏心した位置に鏡筒５４の溝部５５と係合する突起部５７を先端に形成した調整工具５８が挿入されるようになっている。図４に概念的な図３のＡ方向矢視図を示した。調整工具５８は軸回転によって突起部５７の位置が図中矢印方向に変化して、鏡筒５４をコリメータレンズ２４の光軸方向へ進退自在にしている。
従って、この調整工具５８を調整孔５６へ挿入し、先端部の突起部５７を鏡筒５４の溝部５５へ係合させた状態で、調整工具５８を回すことにより、鏡筒５４が装着孔５３内で光軸方向へ摺動して、コリメータレンズ２４の位置合わせを行うことができる。
【００２９】
また、コリメータレンズ取付ブロック部５２には、内部で装着孔５３と連通する固定用ビス孔５９を形成しており、この固定用ビス孔５９には、固定ビス６０がねじ込まれるようになっている。そして、この固定ビス６０を固定用ビス孔５９へねじ込み、その先端部を鏡筒５４へ突き当てることにより、鏡筒５４が装着孔５３内で、光軸方向への摺動が規制された状態に固定される。
【００３０】
一方、ＬＤ用基台５１の取付部５１ｂには、ＬＤ固定板６１（図２、図３参照）をねじ止め固定している。このＬＤ固定板６１には、その中央部位にＬＤ固定孔６２を形成しており、このＬＤ固定孔６２に、ＬＤ２３を圧入等により固定している。このＬＤ固定板６１には、ＬＤ固定孔６２の両側部に、挿通孔６３が形成してある。これら挿通孔６３へねじを通し、ＬＤ用基台５１の取付部５１ｂに形成された図示しないねじ孔へねじ込むことにより、ＬＤ２３の固定されたＬＤ固定板６１をＬＤ用基台５１に固定している。そして、このＬＤ固定板６１をＬＤ用基台５１に固定すると、ＬＤ２３と鏡筒５４のコリメータレンズ２４とが同一軸線に位置決めされるようになっている。
【００３１】
そして、上記のようにＬＤ固定板６１をＬＤ用基台５１へ固定した状態で、コリメータレンズ取付ブロック部５２の調整孔５６へ挿入した調整工具５８を回すことにより、鏡筒５４が装着孔５３内で軸線方向へ摺動し、ＬＤ２３からのレーザビームの照射方向に位置調整が行われる。これにより、ＬＤ２３からのレーザビームを、平行光である平行ビームに適宜調整できるようになる。
【００３２】
ＬＤ固定板６１に固定されたＬＤ２３は、リード線２３ａを受光センサ固定基板２７に半田付け等により実装されている。なお、このＬＤ２３が実装された受光センサ固定基板２７には、ＬＤ固定板６１の挿通孔６３と連通する連通孔６４が形成されている。これにより、ＬＤ固定板６１をＬＤ用基台５１の取付部５１ｂへねじ止めする際に、連通孔６４からドライバー等の工具を挿通させることができる。
【００３３】
また、ＬＤ用基台５１の取付部５１ｂには、両側部における上部に、ねじ孔を有する取付ボス部６５を形成しており（図２参照）、これら取付ボス部６５には、ＰＤ２８が実装された受光センサ固定基板２７の両側部に形成した長孔からなる取付孔６６が連通するようになっている。そして、この受光センサ固定基板２７の取付孔６６へねじを挿入し、取付ボス部６５のねじ孔へねじ込むことにより、受光センサ固定基板２７をＬＤ用基台５１の取付部５１ｂに固定している。
【００３４】
＜ＰＤの垂直方向位置合わせ＞
ここで、図５に受光センサ固定基板２７の支持形態を示す説明図を示した。
図示のように、受光センサ固定基板２７の中央における下方には、ハウジング２１の底面から突起して形成されたリブ７１が配置されており、ＬＤ２３の固定される受光センサ固定基板２７の中央部が、リブ（支点）７１上に載置されている。
これにより、受光センサ固定基板２７は、ＬＤ用基台５１の取付部５１ｂにねじ７０によって仮止めした状態で、リブ７１を支点とした基板平面内で揺動可能とされている。
【００３５】
そして、この受光センサ固定基板２７を、リブ７１を支点として揺動させることにより、この受光センサ固定基板２７に実装されているＰＤ２８が前述の光走査手段による走査平面に直交する第１の方向（つまり図中の上下方向で示す垂直方向）に移動されるようになっている。即ち、受光センサ固定基板２７を揺動させることでＰＤ２８を上下方向に位置決めすることができる。このようにしてＰＤ２８の位置決めを行い、ねじ７０をねじ込むことにより、ＰＤ２８が上下方向に位置決めされた状態にて受光センサ固定基板２７をＬＤ用基台５１の取付部５１ｂに固定することができる。
【００３６】
＜ＰＤの水平方向位置合わせ＞
図２に示すように、ＬＤ用基台５１の固定部５１ａには、その一側部側に、位置決めピン７２を立設してあり、この位置決めピン７２は、集光レンズ２６を保持する集光レンズユニット７３の固定部７４に形成された長孔からなる位置決め孔７５に挿通させている。また、この集光レンズユニット７３の固定部７４には、長孔からなる位置決め固定孔７６が形成してあり、集光レンズユニット７３をＬＤ用基台５１の固定部５１ａ上に、位置決め孔７５へ位置決めピン７２を挿通させて載置させた状態で、ＬＤ用基台５１の固定部５１ａに形成されたねじ孔７７と連通するようになっている。
【００３７】
そして、このように、ねじ孔７７に位置決め固定孔７６を連通させた状態で、位置決め固定孔７６へねじを挿通してねじ孔７７へねじ込むことにより、ＬＤ用基台５１の固定部５１ａ上に集光レンズ２６を保持した集光レンズユニット７３が固定される。これにより、集光レンズ２６が、ビームスプリッタ２５から反射されるＬＤ２３からの一部のレーザビームと対面して、図中矢印で示すこのレーザビームの進行方向に直交する水平方向（走査手段の走査平面に平行且つ受光センサへ導かれる光ビームの光軸に直交する方向）に位置を変更できるようになる。
【００３８】
つまり、この集光レンズユニット７３の固定部７４に形成された位置決め孔７５及び位置決め固定孔７６は、それぞれ保持している集光レンズ２６の光軸方向と直交する面と平行に長孔を形成している。これにより、集光レンズユニット７３を位置決め孔７５及び位置決め固定孔７６の長手方向へ移動させることにより、集光レンズ２６の位置を、ビームスプリッタ２５から反射されるレーザビームの進行方向に対して直交する方向、つまり、前述の第２の方向（水平方向）へ調整することができるようになっている。これにより、集光レンズ２６を通過したレーザビームの焦点位置が、受光センサ固定基板２７上のＰＤ２８に対して左右へ移動調整できる。
【００３９】
ここで、図６に基板に搭載されたＰＤへのレーザビームの位置合わせを説明するための受光センサ固定基板のＰＤ位置とレーザスポット位置とを示す説明図を示した。図６に示すように、このような構造の光源部２２においては、突起として形成された支点７１を支点として受光センサ固定基板２７を揺動させることにより、ビームスプリッタ２５で反射されたレーザビームとの上下方向（第１の方向）の相対位置を調整することができ、また、集光レンズユニット７３を、レーザビームに対して直交する水平方向へ平行移動させることにより、ビームスプリッタ２５により反射されたレーザビームとの水平方向（第２の方向）の相対位置を調整することができるようになっている。
【００４０】
これにより、受光センサ固定基板２７のＰＤ位置とレーザビームの位置とのずれを合わせる作業が、略直交する２方向成分にずれを分解して合わせることになり、その調整作業が格段に簡単なものとなる。
【００４１】
＜各光学部材の支持構造＞
次に、この光走査装置１００の各光学部材の支持構造を順次説明する。
図７に集光レンズの支持構造を説明する集光レンズユニットの斜視図、図８に図７のＢ−Ｂ断面図を示した。
図７及び図８に示すように、集光レンズユニット７３は、集光レンズ２６を保持するホルダ部７８を形成している。このホルダ部７８には、その上方及び一側部に、集光レンズ２６の外周縁が収容される凹部７９を形成してあり、また、下方及び他側部に爪部８０を形成している。
【００４２】
そして、集光レンズ２６をホルダ部７８に装着する際は、集光レンズ２６の外周縁をホルダ部７８のそれぞれの凹部７９に合わせ、この状態で集光レンズ２６をホルダ部７８内に押し込む。すると爪部８０が外側へ押し広げられ、さらに集光レンズ２６を押し込むことで、押し広げられていた爪部８０がその弾性により復元して集光レンズ２６の外周縁をそれぞれ係止する。これにより、集光レンズ２６は、凹部７９及び爪部８０によって外周縁が係止され、遊動や脱落することなく確実に保持される。
【００４３】
次に、ビームスプリッタ２５及びシリンドリカルレンズ３１の支持構造を説明する。
図９にビームスプリッタ及びシリンドリカルレンズの支持構造を説明する斜視図、図１０にその支持構造を説明する分解斜視図、図１１にその支持構造を説明する概略断面図を示した。
ビームスプリッタ２５及びシリンドリカルレンズ３１は、それぞれホルダ８１Ａ、８１Ｂに保持されている。図示のように、これらホルダ８１Ａ、８１Ｂは、それぞれ脚部８２，８２を有し、これら脚部８２，８２同士の間に保持凹部８３を形成している。この保持凹部８３の一側部側には、位置決め壁８４を形成してある。
そして、この保持凹部８３にビームスプリッタ２５及びシリンドリカルレンズ３１をそれぞれ嵌め込み、位置決め壁８４に当接させることにより、ビームスプリッタ２５及びシリンドリカルレンズ３１が、その厚み方向に位置決めされた状態で保持凹部８３に収容される。
【００４４】
そして、保持凹部８３にビームスプリッタ２５及びシリンドリカルレンズ３１を収容した状態で、その上方から押さえ金具８５を取り付けるようになっている。この押さえ金具８５は、バネ鋼等から形成したもので、その両端に孔部８６を形成している。また、この押さえ金具８５には、その中央部分に、下方へ僅かに突出するように屈曲された押さえ片８７を形成してあり、また、両端近傍には、互いに対向する一対の挟持片８８を二組形成している。これら挟持片８８は下方へ向かって互いに近接する方向へ傾斜され、先端部近傍が互いに離間する方向へ屈曲されている。
【００４５】
また、脚部８２の上端部には、その一方にピン８９が形成され、他方にインサートナット９０が埋め込まれている。そして、この一方の脚部８２のピン８９を、押さえ金具８５の一方の孔部８６に挿通させることにより、他方の脚部８２のインサートナット９０に押さえ金具８５の他方の孔部８６が連通される。この状態で、孔部８６を介してインサートナット９０へねじ９１をねじ込むことで、押さえ金具８５を固定している。
【００４６】
上記のようなホルダ８１Ａ、８１Ｂに、ビームスプリッタ２５及びシリンドリカルレンズ３１をそれぞれ保持させるには、ホルダ８１Ａ、８１Ｂの保持凹部８３に、それぞれビームスプリッタ２５及びシリンドリカルレンズ３１を嵌め込んで収容し、この状態で上方側から押さえ金具８５を嵌め込む。このようにすると、図１１に示すように、押さえ金具８５の挟持片８８によってビームスプリッタ２５及びシリンドリカルレンズ３１が位置決め壁８４とともに、力Ｆで挟持され、これにより、これらビームスプリッタ２５及びシリンドリカルレンズ３１が位置決め壁８４に押し付けられて規定の位置に位置決めされた状態で保持される。
【００４７】
さらに、押さえ金具８５を取り付けることで、押さえ金具８５の押さえ片８７によってビームスプリッタ２５及びシリンドリカルレンズ３１が下方へ押し付けられて確実に保持されるようになっている。
【００４８】
ここで、ビームスプリッタ２５を保持するホルダ８１Ａは、ハウジング２１の底部に一体成形されており、シリンドリカルレンズ３１を保持するホルダ８１Ｂは、ベース板９２の上部に形成されている。ベース板９２は、ハウジング２１の底部に形成した摺動溝９３内に設置してあり、ＬＤ２３からのレーザビームの進行方向に沿って位置調整可能とされている。
【００４９】
なお、ベース板９２には移動方向に沿って一対の長孔９４が形成してあり、この長孔９４にねじを挿通し、ハウジング２１の底面に設けられた図示しないインサートナットにねじ込むことにより、ベース板９２を任意の位置でハウジング２１に固定している。
【００５０】
次に、プリズム３２の支持構造を説明する。
図１２にプリズム付近の斜視図、図１３に図１２のＣ方向矢視図を示した。図示のように、プリズム３２は、ハウジング２１に形成されたプリズム保持凹部１０１に収納された状態に保持されている。このプリズム保持凹部１０１には、レーザビームＬの進行方向後方側における両側部に位置決め壁１０２が形成されており、プリズム保持凹部１０１内に収納したプリズム３２を位置決め壁１０２に当接することにより位置決めするようになっている。
【００５１】
また、プリズム保持凹部１０１のレーザビームの進行方向前方側における両側部には、支持壁１０３及び支持ボス１０４が形成してあり、支持壁１０３の上端部には、ピン１０５が形成され、支持ボス１０４の上端部には、図示しないインサートナットが埋め込まれている。
【００５２】
これら支持壁１０３及び支持ボス１０４には、その上部に押さえ金具１０６が取り付けられる。この押さえ金具１０６は、バネ鋼等から形成されたもので、その両端には、孔部１０７を形成している。そして、支持壁１０３に形成したピン１０５を、押さえ金具１０６の一方の孔部１０７に挿通させることにより、支持ボス１０４のインサートナットに押さえ金具１０６の他方の孔部１０７が連通される。この状態で、孔部１０７を介してインサートナットへねじ１０８をねじ込むことにより、押さえ金具１０６を取り付けるようになっている。
【００５３】
この押さえ金具１０６には、一側部における中央部分に、下方へ僅かに傾斜するように屈曲された押さえ片１０９を形成しており、また、一側部における両端近傍には、プリズム保持凹部１０１に収納させたプリズム３２側へ向かって傾斜し、先端部が逆方向へ屈曲した一対の押圧片１１０を形成している。
【００５４】
このようなプリズム保持凹部１０１に、プリズム３２を保持させるには、プリズム保持凹部１０１にプリズム３２を嵌め込んで収容し、この状態にて上方側から押さえ金具１０６を、ピン１０５を押さえ金具１０６の一方の孔部１０７に挿通させ、他方の孔部１０７を介してインサートナットへねじ１０８をねじ込むことにより取り付ける。このようにすると、押さえ金具１０６の押圧片１１０によってプリズム３２が、力Ｆにより位置決め壁１０２に押し付けられて位置決めされた状態に保持される。さらに、押さえ金具１０６の押さえ片１０９によってプリズム３２が下方へ押し付けられて確実に保持されるようになる。
【００５５】
次に、ポリゴンミラー３３の支持構造を説明する。
図１４にポリゴンミラーの設置されるポリゴンミラー保持部の斜視図、図１５にポリゴンミラーのポリゴンミラー保持部への挿入の様子を示すポリゴンミラー保持部の断面図を示した。
図１４に示すポリゴンミラー保持部１１１には、図１５に示すように、ポリゴンミラー３３の駆動部１１２が嵌合されて固定される。ポリゴンミラー３３は、駆動部１１２の内部に設けられた図示しないポリゴンモータの回転軸１１３に固定され、駆動部１１２内のポリゴンモータが駆動して回転軸１１３を回転させることにより、ポリゴンミラー３３が回転軸１１３とともに回転するようになっている。
駆動部１１２は、ポリゴンモータが収納される断面円形の凸状に形成されたケース１１４を有し、このケース１１４の上部に、駆動制御回路が形成されたプリント基板１１５及びプレート１１６が順に固定されている。
【００５６】
ポリゴンミラー保持部１１１は、ハウジング２１の底面に一体成形された４つの略円柱状の支持ボス１１５を有しており、これら支持ボス１１５同士は、環状壁部１１６によって互いに連結されている。そして、これら支持ボス１１５に内接する部分がポリゴンミラー３３の駆動部１１２を保持する保持空間１１７とされており、この保持空間１１７にポリゴンミラー３３の駆動部１１２を嵌合させて収納することにより、ポリゴンミラー３３の駆動部１１２のケース１１４の外周が、それぞれの支持ボス１１５によって保持された状態となる。
なお、このポリゴンミラー３３の駆動部１１２が保持される保持空間１１７は、駆動部１１２のケース１１４の底部がハウジング２１の底面に干渉しないように窪みがつけられている。
【００５７】
また、支持ボス１１５のうちの対角線上に配置された２つの支持ボス１１５には、インサートナット１１８が埋め込まれており、ポリゴンミラー３３の駆動部１１２を保持空間１１７内に収納させた際に、駆動部１１２を構成するケース１１４に形成された取付孔１１９が連通するようになっている。そして、図１６に示すように、ポリゴンミラー３３の駆動部１１２を保持空間１１７内に収納し、駆動部１１２のケース１１４に形成された取付孔１１９をインサートナット１１８に連通した状態で、取付孔１１９にねじ１２１を挿通し、インサートナット１１８にねじ込むことにより、駆動部１１２がハウジング２１の所定位置に位置決めされた状態に固定される。これにより、ポリゴンミラー３３が所定の位置に正確に配置されるようになる。
【００５８】
次に、第１のｆθレンズ３４の支持構造を説明する。
図１６にポリゴンミラー及び第１のｆθレンズ付近の斜視図、図１７に第１のｆθレンズの概略平面図、図１８に第１のｆθレンズを支持するＶ字バネを示す説明図を示した。
図１６に示すように、第１のｆθレンズ３４は、その両端部がハウジング２１に支持されている。図１７に示すように、ハウジング２１は、ｆθレンズ支持部１２２を形成しており、これらｆθレンズ支持部１２２に、第１のｆθレンズ３４を嵌め込むことにより、この第１のｆθレンズ３４が支持されるようになる。それぞれのｆθレンズ支持部１２２には、ポリゴンミラー３３側に、位置決め部１２３を突出して形成しており、また、一方のｆθレンズ支持部１２２には、位置決め面１２４を形成している。そして、これら位置決め部１２３に第１のｆθレンズ３４のポリゴンミラー３３側の側面を当接させるとともに、位置決め面１２４に第１のｆθレンズ３４の一端面を当接させることにより、第１のｆθレンズ３４がポリゴンミラー３３に対して所定位置に位置決めされるようになっている。
【００５９】
また、それぞれのｆθレンズ支持部１２２には、位置決め部１２３と対向する側に、第１のｆθレンズ３４の厚さ方向に沿って溝部１２５を形成しており、また、位置決め面１２４と対向する側にも、第１のｆθレンズ３４の厚さ方向に沿って溝部１２６を形成している。
そして、これら溝部１２５、１２６には、図１８に示すように、バネ鋼等からなるＶ字状に形成されたＶ字バネ１２７が押し込まれるようになっている。そして、このＶ字バネ１２７を溝部１２５、１２６へ押し込むことにより、このＶ字バネ１２７の弾性復元力により、第１のｆθレンズ３４のポリゴンミラー３３側の側面が位置決め部１２３に押し付けられるとともに、第１のｆθレンズ３４の一端面が位置決め面１２４に押し付けられて所定の位置に位置決めされた状態に付勢されつつ保持される。
【００６０】
また、ｆθレンズ支持部１２２には、その上部からバネ鋼等からなる押さえ金具１２８が取り付けられている（図１６参照）。この押さえ金具１２８には、それぞれ一対の孔部１２９が形成されており、端部近傍に形成された孔部１２９には、ハウジング２１側に形成されたピン１３０が挿通され、中央部に形成された孔部１２９は、端部近傍の孔部１２９にピン１３０を挿通させた状態で、ハウジング２１側に設けられた図示しないインサートナットと連通するようになっている。そして、この状態で、中央部の孔部１２９へねじ１３１を挿通してインサートナットへねじ込むことにより押さえ金具１２８を取り付けて、この押さえ金具１２８の先端部の押さえ片１３２によって、第１のｆθレンズ３４の両端部が押し付けられて、第１のｆθレンズ３４が確実に支持される。
【００６１】
なお、第１のｆθレンズ３４のポリゴンミラー３３側におけるハウジング２１に形成された壁面１３３は、その表面がノコ刃状の凹凸形状に形成されており、第１のｆθレンズ３４等にて反射したレーザビームをＬＤ２３への戻り光にさせることなく、散乱させるようになっている。
また、第１のｆθレンズ３４及び前述したプリズム３２を取り付けた状態で、ハウジング２１の上部から上蓋（図示略）を被せると、上蓋に設けられたパッキン等の防塵部材がプリズム３２や第１のｆθレンズ３４に密着し、ポリゴンミラー３３が収納されているポリゴンミラー保持部１１１が密閉されるようになっている。
これにより、ポリゴンミラー３３が回転することにより生じる風によるレーザビームの揺らぎや内部に混入した粉塵の撒き散らしが防止される。
【００６２】
なお、上記の第１のｆθレンズ３４の支持構造では、Ｖ字バネ１２７によって第１のｆθレンズ３４を位置決め部１２３へ押し付け、さらに、押さえ金具１２８によって第１のｆθレンズ３４を上方から押し付けて保持しているが、Ｖ字バネ１２７を用いることなく、図１９に示す押さえ金具１２８によって第１のｆθレンズ３４を位置決め部１２３へ押し付けるようにしても良い。
つまり、図１９に示すように、押さえ金具１２８に、第１のｆθレンズ３４を位置決め部１２３へ付勢する押し付け片１２８ａを形成しておき、この押さえ金具１２８によって第１のｆθレンズ３４の位置決め部１２３への押し付け及び下方への押さえ付けの両方を行うようにしても良く、この場合、部品点数の削減を図ることができる。
【００６３】
次に、第２のｆθレンズ３５の支持構造を説明する。
図２０に第２のｆθレンズの概略平面図、図２１に第２のｆθレンズの一端側における概略斜視図、図２２に図２１のＤ方向宇矢視図を示した。
図２０に示すように、第２のｆθレンズ３５は、その両端部がハウジング２１に一体成形されたｆθレンズ支持部１３４に支持されている。これらのｆθレンズ支持部１３４は、それぞれポリゴンミラー３３側に位置決め部１３５が形成されており、この位置決め部１３５に、第２のｆθレンズ３５のポリゴンミラー３３側の側面が当接されて位置決めされる。
また、ｆθレンズ支持部１３４の一方には、位置決め面１３６が形成されており、この位置決め面１３６に第２のｆθレンズ３５の一端面が当接されて位置決めされる。
【００６４】
他方側のｆθレンズ支持部１３４には、第２のｆθレンズ３５の厚み方向に沿って溝部１３７が形成されており、この溝部１３７には、前述したＶ字バネ１２７が押し込まれ、このＶ字バネ１２７の弾性復元力によって第２のｆθレンズ３５が位置決め面１３６に付勢されて押し付けられている。
【００６５】
また、図２１及び図２２に示すように、ｆθレンズ支持部１３４には、その上部からバネ鋼等からなる押さえ金具１３８を取り付けている。この押さえ金具１３８には、それぞれ一対の孔部１３９を形成してあり、端部近傍に形成された孔部１３９には、ハウジング２１側に形成されたピン１４０が挿通され、中央部に形成された孔部１３９は、端部近傍の孔部１３９にピン１４０を挿通させた状態で、ハウジング２１側に設けられたインサートナット１４１と連通する。
そして、この状態で、中央部の孔部１３９へねじを挿通してインサートナット１４１へねじ込むことにより押さえ金具１３８を取り付け、この押さえ金具１３８の先端部の押さえ片１４２によって、第２のｆθレンズ３５の両端部が押し付けられて確実に支持される。
【００６６】
この押さえ金具１３８は、一対の挟持片１４３を形成している。これら挟持片１４３は、それぞれ下方へ向かって互いに近接する方向へ傾斜され、先端部近傍で互いに離間する方向へ屈曲されている。そして、この押さえ金具１３８を取り付けることにより、一対の挟持片１４３によって位置決め部１３５と第２のｆθレンズ３５とが挟持され、これにより第２のｆθレンズ３５が位置決め部１３５に確実に押し付けられた状態に保持される。
【００６７】
なお、レーザビームが進行する走査平面（Ｚ軸に垂直となるＺ面）面に対して第２のｆθレンズ３５を位置決めするハウジング２１側の位置決め面には、約０〜５°の傾きがあり、これにより、この位置決め面に支持された第２のｆθレンズ３５も光軸下流側（ポリゴンミラー３３と逆側）が上方へ向くように傾けられて設置されている。
また、上記の例では、両端にて同一形状の押さえ金具１３８を用いることにより、部品を共通化したが、それぞれの端部にて第２のｆθレンズ３５の曲面に合わせた形状の挟持片１４３等を有する略線対称の異形状の押さえ金具１３８をそれぞれ用いても良い。
【００６８】
次に、シリンドリカルレンズ３６の支持構造を説明する。
図２３にシリンドリカルレンズ及び平行ミラー等の支持構造を説明する概略斜視図、図２４に図２３のＥ方向矢視図を示した。
シリンドリカルレンズ３６は、図１に示すように、その両端部がベース部１４４に一体成形されたシリンドリカルレンズ支持部１４５に支持されている。ベース部１４４は、ハウジング２１の底部に形成された溝部１４６内に配設されており、第１のｆθレンズ３４に対して近接離間方向へ移動可能とされている。また、このベース部１４４には、移動方向に沿う長孔１４７が形成されており、この長孔１４７へねじを挿通してハウジング２１の底部に埋め込まれた図示しないインサートナットへねじ込むことにより、ベース部１４４を任意の位置でハウジング２１の底部に固定することができるようになっている。
【００６９】
シリンドリカルレンズ支持部１４５は、それぞれ第２のｆθレンズ３５側に、位置決め部１４８が形成されており、この位置決め部１４８に、シリンドリカルレンズ３６の第２のｆθレンズ３５側の側面が当接されて位置決めされる。また、シリンドリカルレンズ支持部１４５の一方には、位置決め面１４９が形成されており、この位置決め面１４９にシリンドリカルレンズ３６の一端面が当接されて位置決めされる。
【００７０】
他方側のシリンドリカルレンズ支持部１４５には、シリンドリカルレンズ３６の厚み方向に沿って溝部１５０が形成されており、この溝部１５０には、前述したＶ字バネ１２７が押し込まれ、このＶ字バネ１２７の弾性復元力によってシリンドリカルレンズ３６が位置決め面１４９に付勢されて押し付けられる。
【００７１】
また、図２３及び図２４に示すように、シリンドリカルレンズ支持部１４５には、その上部からバネ鋼等からなる押さえ金具１５１が取り付けられるようになっている。この押さえ金具１５１には、それぞれ一対の孔部１５２が形成されており、端部近傍に形成された孔部１５２には、ハウジング２１側に形成されたピン１５３が挿通され、中央部に形成された孔部１５２は、端部近傍の孔部１５２にピン１５３を挿通させた状態で、ハウジング２１側に設けられた図示しないインサートナットと連通する。そして、この状態で、中央部の孔部１５２へねじ１５４を挿通してインサートナットへねじ込むことにより押さえ金具１５１を取り付け、シリンドリカルレンズ支持部１４５に両端部が保持されたシリンドリカルレンズ３６の両端部が押し付けられて確実に支持されるようになる。
【００７２】
また、この押さえ金具１５１にも、一対の挟持片１５５が形成されており、この押さえ金具１５１を取り付けることにより、一対の挟持片１５５によって位置決め部１４８とシリンドリカルレンズ３６とが挟持され、これによりシリンドリカルレンズ３６が位置決め部１４８に確実に押し付けられた状態に保持される。なお、このシリンドリカルレンズ３６も、レーザビームが進行する走査平面（Ｚ軸に垂直なＺ面）に対してレーザビーム進行方向に向かって約０〜１０°上方へ傾けられて支持されている。
【００７３】
次に、シリンドリカルレンズ３８の支持構造を説明する。
シリンドリカルレンズ３８は、図２３及び図２４に示したように、ハウジング２１の底面に一体成形されたレンズ保持部１５６に支持されている。
レンズ保持部１５６には、シリンドリカルレンズ３８の背面が当接されて位置決めされる位置決め壁１５７が形成されている。シリンドリカルレンズ３８の一側部側における下方には、シリンドリカルレンズ３８の側方への移動を規制する規制ブロック１５８がハウジング２１に形成されており、この規制ブロック１５８によってシリンドリカルレンズ３８の側方への移動が規制されている。
【００７４】
また、レンズ保持部１５６とシリンドリカルレンズ３８との間における下方には、Ｖ字バネ１２７が差し込まれており、このＶ字バネ１２７によってシリンドリカルレンズ３８が規制ブロック１５８側へ付勢されて当接されている。
【００７５】
レンズ保持部１５６には、その上部からバネ鋼等からなる押さえ金具１５９が取り付けられるようになっている。この押さえ金具１５９には、それぞれ一対の孔部１６０が形成されており、端部近傍に形成された孔部１６０には、レンズ保持部１５６に形成されたピン１６１が挿通され、中央部に形成された孔部１６０は、端部近傍の孔部１６０にピン１６１を挿通させた状態で、レンズ保持部１５６に設けられた図示しないインサートナットと連通するようになっている。
そして、この状態で、中央部の孔部１６０へねじ１６２を挿通してインサートナットへねじ込むことにより押さえ金具１５９を取り付け、押さえ金具１５９の先端部に形成された押圧片１６３によってシリンドリカルレンズ３８が押し付けられるようになっている。
【００７６】
また、この押さえ金具１５９にも、一対の挟持片１６４が形成されており、この押さえ金具１５９を取り付けることにより、一対の挟持片１６４によって位置決め壁１５７とシリンドリカルレンズ３８とが挟持され、これによりシリンドリカルレンズ３８が位置決め壁１５７に確実に押し付けられた状態に保持されるようになっている。
【００７７】
また、ハウジング２１の底面には、バネ鋼からなる保持金具１６５が取り付けられるようになっている。この保持金具１６５には、それぞれ一対の孔部１６６が形成されており、中央部分に形成された孔部１６６には、ハウジング２１の底部に形成されたピン１６７が挿通され、端部近傍に形成された孔部１６６は、中央部分の孔部１６６にピン１６７を挿通させた状態で、ハウジング２１の底部に設けられた図示しないインサートナットと連通する。そして、この状態で、端部近傍の孔部１６６へねじ１６８を挿通してインサートナットへねじ込むことにより、保持金具１６５が取り付けるようになっている。
【００７８】
この保持金具１６５には、図２５に断面図を示すように、その先端部分に、作用片１６９及び押圧片１７０が形成されており、作用片１６９は、規制ブロック１５８を押圧して反力を取り、押圧片１７０はレンズ押さえ部材１７１を介してシリンドリカルレンズ３８を位置決め壁１５７側へ押し付けている。
【００７９】
次に、平行板ミラー３９の支持構造を説明する。
平行板ミラー３９は、図２３及び図２４に示したように、ハウジング２１の底面に一体成形されたミラー保持部１７２に支持されている。レンズ保持部１７２には、平行ミラー３９の表面及び側面における下部が当接されて位置決めされる位置決めブロック部１７３が形成されている。また、平行ミラー３９の背面側には、押圧ブロック部１７４が形成されており、この押圧ブロック部１７４と平行ミラー３９との間には、Ｖ字バネ１２７が差し込まれ、このＶ字バネ１２７によって平行ミラー３９が位置決めブロック部１７３に付勢されて当接され、位置決めされている。
【００８０】
また、ミラー保持部１７２には、その上部からバネ鋼等からなる押さえ金具１７５が取り付けられる。この押さえ金具１７５には、それぞれ一対の孔部１７６が形成されており、端部近傍に形成された孔部１７６には、ミラー保持部１７２に形成されたピン１７７が挿通され、中央部に形成された孔部１７６は、端部近傍の孔部１７６にピン１７７を挿通させた状態にて、ミラー保持部１７２に設けられた図示しないインサートナットと連通するようになっている。
そして、この状態にて、中央部の孔部１７６へねじ１７８を挿通してインサートナットへねじ込むことにより、押さえ金具１７５が取り付けられ、押さえ金具１７５の先端部に形成された押圧片１７９によって平行ミラー３９が押し付けられるようになる。
【００８１】
次に、シリンドリカルミラー３７の支持構造を説明する。
図２６にシリンドリカルミラーの一端側における概略斜視図、図２７に図２６のＧ方向矢視図を示した。
シリンドリカルミラー３７は、図２６及び図２７に示すように、その両端部がハウジング２１に一体成形されたシリンドリカルミラー支持部１８１に支持されている。
シリンドリカルミラー支持部１８１には、位置決め面１８２、１８３を有するＶ字状に形成された支持台部１８４が形成されており、この支持台部１８４にシリンドリカルミラー３７を配設することにより、断面角形のシリンドリカルミラー３７が位置決め面１８２、１８３によって位置決めされてレーザビームの進行方向に対して約３０〜６０°傾けられた状態に配置されるようになっている。
なお、ここでは、シリンドリカルミラー３７を回転調整することなく、位置決め面１８２、１８３によってのみシリンドリカルミラー３７の傾きが位置決めされている。
【００８２】
また、シリンドリカルミラー支持部１８１の一方には、シリンドリカルミラー３７の端面と対向する位置に溝部１８５が形成されており、この溝部１８５には、Ｖ字バネ１２７が押し込まれている。そして、このＶ字バネ１２７の付勢力によってシリンドリカルミラー３７が他方のシリンドリカルミラー支持部１８１に押し付けられて保持されている。
【００８３】
また、シリンドリカルミラー支持部１８１には、その上部から押さえ金具１８６が取り付けられるようになっている。この押さえ金具１８６は、バネ鋼から形成されたもので、３つの孔部１８７が形成された固定片１８８と、この固定片１８８に形成された一対の付勢片１８９とを有している。
【００８４】
シリンドリカルミラー支持部１８１には、その上端部に、一対のピン１９０と、これらピン１９０の間に埋め込まれたインサートナット１９１とを有しており、押さえ金具１８６の固定片１８８の両端側に形成された孔部１８７にピン１９０が挿通される。
このように固定片１８８の両端側の孔部にピン１９０を挿通させることにより、固定片１８８の中央の孔部１８７がシリンドリカルミラー支持部１８１のインサートナット１９１と連通する。そして、この状態にて、中央部の孔部１８７へ図示しないねじを挿通してインサートナット１９１へねじ込むことにより、押さえ金具１８６を取り付け、シリンドリカルミラー支持部１８１に両端部が保持されたシリンドリカルミラー３７の両端部が付勢片１８９によって押し付けられて確実に支持されるようになる。
【００８５】
次に、光センサ４２が実装された基板４１の支持構造を説明する。
図２８に光センサが搭載された基板付近の概略斜視図を示した。図２８に示すように、光センサ４２が実装された基板４１は、基板支持台１９２に支持されている。この基板支持台１９２は、図１にも示すように、ハウジング２１の底面にねじ止め固定されるベース部１９３と、このベース部１９３から立設された固定片部１９４とを有している。
また、この固定片部１９４には、ねじ孔を有するボス部１９５が設けられており、これらボス部１９５にねじ止め固定されて基板４１が固定片部１９４に取り付けられている。基板４１には、固定片部１９４のボス部１９５へのねじ止めのためにねじが挿通される取付孔１９６が形成されている。
【００８６】
これら取付孔１９６は、上下に長い長孔からなり、固定片部１９４への基板４１の取り付け位置を上下に調整することができるようになっている。つまり、基板４１に実装された光センサ４２の位置を上下に調整して光センサ４２へレーザビームが確実に照射されるように調整することができる。
なお、この基板４１は、固定片部１９４に固定した際に、下向きに傾斜されるように支持される。これにより、基板４１の光センサ４２へ照射したレーザビームが基板４１に反射して光源部２２側や記録媒体における結像面側へ到達して不具合を生じさせることがない。なお、基板４１を上方に傾けて支持しても反射光の影響を防げるが、基板４１を、位置を調整しながらねじ止めする際の作業性を考慮して下向きとされている。
【００８７】
また、ハウジング２１には、工具挿通孔１９７が形成されており、この工具挿通孔１９７から工具を差し込み、基板４１を固定片部１９４のボス部１９５へねじ止めを行うことができるようになっている。
なお、基板４１の固定片部１９４への固定終了後は、ハウジング２１の内壁２１ａに沿って工具挿通孔１９７を塞ぐように閉鎖板１９８がパッキン等の弾性部材を介して取り付けられるようになっている。これにより、ハウジング２１内は、上蓋を取り付けることにより、シリンドリカルミラー３７の下部で記録媒体へ走査するための長角孔を除き、外部と遮断されることとなる。
【００８８】
なお、基板４１へ接続される制御線からなるケーブルは、ケーブルホルダ２０１によってシリンドリカルミラー３７の外側を通して光源部２２側へ引き回しているが、図２９に示すように、第２のｆθレンズ３５の下方においてハウジング２１の底部に配線溝２０２を形成し、この配線溝２０２にケーブル２０３を通したり、あるいは、図３０に示すように、ハウジング２１に被せる上蓋２０４の第２のｆθレンズ３５の上部に位置する部分に配設することにより、ケーブル２０３を短くすることができる。
【００８９】
また、ハウジング２１内は、図１に示す壁部Ｗ等の各所が前述した壁面１３３のようなノコ刃状の凹凸形状に形成されており、レーザビームを散乱させて反射光による記録媒体への感光に不具合を生じさせることが防止されている。また、図１に示すように、部材の各支持部等を構成しているボス部Ｂの断面形状が略円形状に形成されており、これにより、このボス部Ｂにおけるレーザビームの反射光も拡散され、反射光による不具合が防止されている。
【００９０】
なお、上記の各レンズ、ミラーをレーザビームが進行する走査平面と平行あるいは所定角度となるように位置決めするハウジング２１の底面側の位置決め面としては、支持するレンズ、ミラーの底面よりも大きくても小さくても良く、また、例えば、ハウジング２１に、上端部が位置決め面とされた複数のボスを一体成形し、これらボス上に支持させて位置決めしても良い。
【００９１】
また、上記の例では、各部材をねじ止めするために、ハウジング２１にインサートナットを埋め込んだが、ハウジング２１に直接めねじを形成しても良いことは勿論である。
【００９２】
ここで、上述した各光学部材の特性を表１にまとめて示した。
【表１】
2004125813.tif 000003
【００９３】
以上説明したように、本発明に係る光走査装置１００によれば、ＰＤ２８が固定された受光センサ固定基板２７を、リブ７１を中心として面内方向に揺動させることにより、走査平面に直交する第１の方向にＰＤ２８の位置合わせを行うことができ、また、集光レンズユニット７３を移動させることにより、走査平面に平行且つ集光レンズ２６の光軸に直交する第２の方向にＰＤ２８の位置合わせを行うことができる。
【００９４】
これにより、従来のように２次元的にフリーな状態の受光センサの位置合わせと比較して、位置決め作業の大幅な容易化を図ることができ、組立工数を削減することができ、さらには、位置調整をするための部品点数を抑えることができるとともに、位置決め作業のためのスペースも最小限に抑えることができ、装置のコストダウン及び小型・軽量化を図ることができる。
【００９５】
また、この光走査装置１００を図３１に示す画像記録装置３００に搭載することで、上記効果を備えた画像記録装置３００が得られる。即ち、図３１に示す光走査装置では、ＬＤ１で発光してコリメータレンズ２によって平行ビームにされたレーザビームがビームスプリッタ３に照射され、その一部が反射されて集光レンズ４を介してＰＤ５にて受光される。ビームスプリッタ３を通過したレーザビームは、シリンドリカルレンズ６を通過してビーム整形され、高速回転駆動しているポリゴンミラー７に照射される。ポリゴンミラー７によって偏向されたレーザビームは、ｆθレンズ８、９及びシリンドリカルレンズ１０を透過し、シリンドリカルミラー１１で下方に反射され、その後、記録媒体１２上で結像して走査するようになっている。
【００９６】
ここで、ＰＤ５では、ビームスプリッタ３にて反射し、集光レンズ４を介して照射された光を受光するようになっている。
つまり、このＰＤ５が受光して得られた出力電圧が、ＡＰＣ回路によって基準電圧と比較され、ＰＤ５の出力電圧が基準電圧と一定の関係となるようにＬＤ１への電流値が調整されて光強度が一定に制御されるようになっている。
【００９７】
【発明の効果】
以上、説明したように、本発明によれば、受光センサを固定した受光センサ固定基板を基板面内で揺動させる一方、光源から前記光走査手段に向けて出射される光ビームの一部を取り出した光を受光センサ側に導く集光レンズを、走査手段の走査平面に平行且つ受光センサへ導かれる光ビームの光軸に直交する方向へ移動させることにより、取り出した光ビームと受光センサの受光位置とのずれを２方向成分に分解して合わせることができ、受光センサの位置合わせを簡単にできる。これにより、装置の組立工数を削減することができ、位置調整をするための部品点数を抑えることができるとともに、位置決め作業のためのスペースも最小限に抑えられ、装置のコストダウン及び小型・軽量化を図ることができる。
【図面の簡単な説明】
【図１】本発明に係る光走査装置の内部の構造を示す斜視図である。
【図２】光源部の取付構造を示す拡大斜視図である。
【図３】光源部におけるＬＤ周囲の部材を透視して表示したＬＤとコリメータレンズとの関係を示す拡大斜視図である。
【図４】概念的な図３のＡ方向矢視図である。
【図５】受光センサ固定基板の支持形態を示す説明図である。
【図６】基板に搭載されたＰＤへのレーザビームの位置合わせを説明するための受光センサ固定基板のＰＤ位置とレーザスポット位置とを示す説明図である。
【図７】集光レンズの支持構造を説明する集光レンズユニットの斜視図である。
【図８】図７のＢ−Ｂ断面図である。
【図９】ビームスプリッタ及びシリンドリカルレンズの支持構造を説明する斜視図である。
【図１０】ビームスプリッタ及びシリンドリカルレンズの支持構造を説明する分解斜視図である。
【図１１】ビームスプリッタ及びシリンドリカルレンズの支持構造を説明する概略断面図である。
【図１２】プリズムの支持構造を説明するプリズム付近の斜視図である。
【図１３】図１２のＣ方向矢視図である。
【図１４】ポリゴンミラーの設置されるポリゴンミラー保持部の斜視図である。
【図１５】ポリゴンミラーのポリゴンミラー保持部への挿入の様子を示すポリゴンミラー保持部の断面図である。
【図１６】ポリゴンミラー及び第１のｆθレンズ付近の斜視図である。
【図１７】第１のｆθレンズの概略平面図である。
【図１８】第１のｆθレンズを支持するＶ字バネを示す説明図である。
【図１９】第１のｆθレンズを支持する押さえ金具の他の例を示す概略斜視図である。
【図２０】第２のｆθレンズの概略平面図である。
【図２１】第２のｆθレンズの一端側における概略斜視図である。
【図２２】図２１のＤ方向宇矢視図である。
【図２３】シリンドリカルレンズ及び平行ミラー等の支持構造を説明する概略斜視図である。
【図２４】シリンドリカルレンズ及び平行ミラー等の支持構造を説明する概略斜視図である。
【図２５】保持金具によるシリンドリカルレンズの支持を説明する断面図である。
【図２６】シリンドリカルミラーの一端側における概略斜視図である。
【図２７】図２６のＧ方向矢視図である。
【図２８】光センサが搭載された基板付近の概略斜視図である。
【図２９】ケーブルの配線構造を説明する第２のｆθレンズ付近における概略斜視図である。
【図３０】ケーブルの配線構造を説明する上蓋の平面図である。
【図３１】光走査装置を搭載した画像記録装置の概略斜視図である。
【符号の説明】
２３　ＬＤ（光源）
２５　ビームスプリッタ
２６　集光レンズ
２７　受光センサ固定基板
２８　ＰＤ（受光センサ）
７１　リブ（支点）
７３　集光レンズユニット
１００　光走査装置
３００　画像記録装置
【図１】
2004125813.tif 000004
【図２】
2004125813.tif 000005
【図３】
2004125813.tif 000006
【図４】
2004125813.tif 000007
【図５】
2004125813.tif 000008
【図６】
2004125813.tif 000009
【図７】
2004125813.tif 000010
【図８】
2004125813.tif 000011
【図９】
2004125813.tif 000012
【図１０】
2004125813.tif 000013
【図１１】
2004125813.tif 000014
【図１２】
2004125813.tif 000015
【図１３】
2004125813.tif 000016
【図１４】
2004125813.tif 000017
【図１５】
2004125813.tif 000018
【図１６】
2004125813.tif 000019
【図１７】
2004125813.tif 000020
【図１８】
2004125813.tif 000021
【図１９】
2004125813.tif 000022
【図２０】
2004125813.tif 000023
【図２１】
2004125813.tif 000024
【図２２】
2004125813.tif 000025
【図２３】
2004125813.tif 000026
【図２４】
2004125813.tif 000027
【図２５】
2004125813.tif 000028
【図２６】
2004125813.tif 000029
【図２７】
2004125813.tif 000030
【図２８】
2004125813.tif 000031
【図２９】
2004125813.tif 000032
【図３０】
2004125813.tif 000033
【図３１】
2004125813.tif 000034